(57)【要約】【課題】特定ユーザに属さない移動端末であっても、特定ユーザ向け基地局の通信エリア及び周波数帯域と一般公衆基地局の通信エリア及び周波数帯域とがそれぞれ重なっている場合に移動端末のバッテリや基地局の通信処理に対する負荷を過度に増大させることなく位置登録が行えるようにすること。【解決手段】周波数追出しにより移動端末１１がｍａｃｒｏＢＴＳ５に一旦位置登録が許可された後に帯域振分けされてｆｅｍｔｏＢＴＳ３に対する位置登録を再要求した場合であってもｆｅｍｔｏＢＴＳ３に対する移動端末１１の位置登録の拒否回数を示すカウント値は保持されるので、帯域振分け及び周波数追出しが何度か繰り返されカウント値のインクリメントが続いても、カウント値が閾値Ｓｒ２に達していれば、これ以降、帯域振分け及び周波数追出しは行われず最終的にはｆｅｍｔｏＢＴＳ３に対する位置登録が許可される。【選択図】図１
2011199505.tif 000002
【特許請求の範囲】
【請求項１】
通信エリア及び周波数帯域が共に重なっている第１又は第２の無線基地局に対して行われる移動端末の位置登録を制御する通信制御装置であって、
前記第１の無線基地局に対して位置登録を行うことが可能な移動端末の識別番号を記録する記録装置と、
前記第１又は第２の無線基地局に対する移動端末の位置登録を行うと共に、前記記録装置に識別番号が記録されていない移動端末からの前記第１の無線基地局に対する位置登録を拒否する位置登録手段と、
前記位置登録手段によって位置登録が拒否された拒否回数を移動端末ごとにカウントし、このカウント値を前記記録装置に格納するカウント手段と、
を備え、
前記第１の無線基地局は、前記第２の無線基地局よりも狭い通信エリアを受け持ち、
前記位置登録手段は、カウント値が閾値に達すると、このカウント値に対応する移動端末の前記第１の無線基地局に対する位置登録を行い、
前記カウント手段は、前記第１の無線基地局に対する位置登録が前記位置登録手段によって行われた場合にカウント値をクリアし、前記第２の無線基地局に対する位置登録が前記位置登録手段によって行われた場合にはカウント値をクリアしない、
ことを特徴とする通信制御装置。
【請求項２】
前記第２の無線基地局に対する位置登録がされている移動端末に対し、前記第２の無線基地局の複数の周波数帯域のうちこの移動端末が現在利用している周波数帯域と異なる他の周波数帯域への変更を指示し、変更先の周波数帯域における位置登録が前記位置登録手段によって拒否されると、当該移動端末に対して、変更先の周波数帯域とは異なる他の周波数帯域で位置登録をするように指示する周波数帯域変更手段を更に備える、ことを特徴とする請求項１に記載の通信制御装置。
【請求項３】
通信エリア及び周波数帯域が共に重なっている第１又は第２の無線基地局に対する移動端末の位置登録を通信制御装置が行う位置登録方法であって、
前記移動端末から位置登録の要求を受信すると、前記移動端末が前記第１の無線基地局に対して位置登録を行うことが可能な端末として予め登録されているか否かを前記通信制御装置が判定する第１のステップと、
前記第１のステップにおいて前記移動端末が前記第１の無線基地局に対し位置登録を行うことが可能な端末ではないと前記通信制御装置が判定した場合に、前記第１の無線基地局に対する前記移動端末の位置登録を前記通信制御装置が拒否し、前記第１の無線基地局に対する前記移動端末の位置登録を拒否した回数を示すカウント値を前記通信制御装置が更新する第２のステップと、
前記第２のステップの後に前記第２の無線基地局に対する前記移動端末の位置登録を前記通信制御装置が行った場合、前記通信制御装置がカウント値を保持する第３のステップと、
前記第３のステップの後に前記第１の無線基地局に対する位置登録の要求が前記移動端末から前記通信制御装置に再度行われると、カウント値が閾値に達してるか否かを前記通信制御装置が判定する第４のステップと、
前記第４のステップにおいてカウント値が閾値に達していると前記通信制御装置が判定すると、前記通信制御装置は、カウント値をクリアすると共に前記移動端末の前記第１の無線基地局に対する位置登録を許可する第５のステップと、
を備える、ことを特徴とする位置登録方法。
【発明の詳細な説明】
【技術分野】
【０００１】
本発明は、移動端末からの位置登録を制御する通信制御装置と、移動端末からの位置登録を行う位置登録方法とに関する。
【背景技術】
【０００２】
特許文献１には、特定ユーザ向け基地局を導入した移動通信システムに係る技術が開示されている。特定ユーザ向け基地局に対するアクセスが許可されている移動局が、特定ユーザ向け基地局と対応付けられている位置登録エリア内に進入または出現したことを検出した場合、この検出の後に、少なくとも、特定ユーザ向け基地局が現在使用している周波数情報と、特定ユーザ向け基地局のＩＤ情報とを含む接続情報を、移動局に個別的に通知する。移動局は、通知された接続情報に基づいてセルサーチを行う。具体的に、移動局は、当該移動局が在圏する一般公衆基地局から報知される周辺セルの周波数情報を受信し、通知された接続情報に含まれる周波数情報と周辺セル周波数情報とに基づいてセルサーチを行う。
【先行技術文献】
【特許文献】
【０００３】
【特許文献１】特開２００８−２７８２６４号公報
【発明の概要】
【発明が解決しようとする課題】
【０００４】
特定ユーザ向け基地局の通信エリア及び周波数帯域と一般公衆基地局の通信エリア及び周波数帯域とがそれぞれ重なっていると、次のようなことが生じる場合がある。一般公衆基地局に対する位置登録が既に成されている移動局に対し特定ユーザ向け基地局の周波数帯域に重なる他の周波数帯域に帯域振分けがなされ、一般公衆基地局よりも特定ユーザ向け基地局の電波強度が強い場合には、この移動局は、一般公衆基地局に対してではなく特定ユーザ向け基地局に対して位置登録要求を行う。しかし、特定ユーザ向け基地局に対する位置登録がこの移動局に許可されていない（この移動局は特定ユーザに属さない）場合には、この移動局の特定ユーザ向け基地局に対する位置登録が拒否されて元の周波数帯域に戻される（周波数追出し）。この後、この移動局に対しては、帯域振分けが再度行われる場合があり、このような場合には、上記した帯域振分け及び周波数追出しが繰り返し行われる。このように、特定ユーザ向け基地局の通信エリア及び周波数帯域と一般公衆基地局の通信エリア及び周波数帯域とがそれぞれ重なっていると、上記のように位置登録時にバタつきが生じて無駄な通信処理が行われることがある。このような場合には、移動局のバッテリの消耗が早まり、更に、基地局等の通信網側の通信処理に対する負荷が増大する。
【０００５】
そこで、本発明は、上記の事項を鑑みてなされたものであり、特定ユーザに属さない移動端末であっても、特定ユーザ向け基地局の通信エリア及び周波数帯域と一般公衆基地局の通信エリア及び周波数帯域とがそれぞれ重なっている場合に、移動端末のバッテリや基地局の通信処理に対する負荷を過度に増大させることなく位置登録が行えるようにすることを目的としている。
【課題を解決するための手段】
【０００６】
本発明に係る通信制御装置は、通信エリア及び周波数帯域が共に重なっている第１又は第２の無線基地局に対して行われる移動端末の位置登録を制御する通信制御装置であって、上記第１の無線基地局に対して位置登録を行うことが可能な移動端末の識別番号を記録する記録装置と、上記第１又は第２の無線基地局に対する移動端末の位置登録を行うと共に、上記記録装置に識別番号が記録されていない移動端末からの上記第１の無線基地局に対する位置登録を拒否する位置登録手段と、上記位置登録手段によって位置登録が拒否された拒否回数を移動端末ごとにカウントし、このカウント値を上記記録装置に格納するカウント手段と、を備え、上記第１の無線基地局は、上記第２の無線基地局よりも狭い通信エリアを受け持ち、上記位置登録手段は、カウント値が閾値に達すると、このカウント値に対応する移動端末の上記第１の無線基地局に対する位置登録を行い、上記カウント手段は、上記第１の無線基地局に対する位置登録が上記位置登録手段によって行われた場合にカウント値をクリアし、上記第２の無線基地局に対する位置登録が上記位置登録手段によって行われた場合にはカウント値をクリアしない。
【０００７】
以上のように、移動端末が第１の無線基地局に対する在圏許可登録されていない端末の場合、位置登録の拒否回数を示すカウント値が閾値に達していれば、第１の無線基地局に対する移動端末の位置登録が許可される。また、第２の無線基地局に対する移動端末の位置登録が行われた場合であっても移動端末に対応するカウント値はクリアされず保持されるので、第２の無線基地局に対する位置登録と第１の無線基地局に対する位置登録の拒否とが繰り返される場合であっても、カウント値が閾値に達していれば、第１の無線基地局に対する位置登録が行われるので、位置登録時におけるバタつきを低減できる。従って、移動端末のバッテリや、第１の無線基地局、第２の無線基地局及び当該通信制御装置の通信処理に対し過度な負荷をかけずに位置登録が行える。
【０００８】
本発明に係る通信制御装置は、上記第２の無線基地局に対する位置登録がされている移動端末に対し、上記第２の無線基地局の複数の周波数帯域のうちこの移動端末が現在利用している周波数帯域と異なる他の周波数帯域への変更を指示し、変更先の周波数帯域における位置登録が上記位置登録手段によって拒否されると、当該移動端末に対して、変更先の周波数帯域とは異なる他の周波数帯域で位置登録をするように指示する周波数帯域変更手段を更に備える、ことができる。従って、移動端末が第２の無線基地局に対する位置登録が一旦許可された後に、他の周波数帯域への変更が成され、第１の無線基地局に対する位置登録を要求した場合であっても、移動端末の前回までのカウント値が保持されているので、変更先の周波数帯域とは異なる他の周波数帯域（例えば変更前の元の周波数帯域）で位置登録させる、という処理が何度か繰り返されカウント値のインクリメントが続いても、カウント値が閾値に達していれば、この後、変更先の周波数帯域とは異なる他の周波数帯域（例えば変更前の元の周波数帯域）で位置登録させる、という処理は行われず、最終的には、第１の無線基地局に対する位置登録が許可され、位置登録時のバタつきは解消される。よって、移動端末のバッテリや、第１の無線基地局、第２の無線基地局及び当該通信制御装置の通信処理に対し過度な負荷をかけずに位置登録が行える。
【０００９】
本発明に係る位置登録方法は、通信エリア及び周波数帯域が共に重なっている第１又は第２の無線基地局に対する移動端末の位置登録を通信制御装置が行う位置登録方法であって、上記移動端末から位置登録の要求を受信すると、上記移動端末が上記第１の無線基地局に対して位置登録を行うことが可能な端末として予め登録されているか否かを上記通信制御装置が判定する第１のステップと、上記第１のステップにおいて上記移動端末が上記第１の無線基地局に対し位置登録を行うことが可能な端末ではないと上記通信制御装置が判定した場合に、上記第１の無線基地局に対する上記移動端末の位置登録を上記通信制御装置が拒否し、上記第１の無線基地局に対する上記移動端末の位置登録を拒否した回数を示すカウント値を上記通信制御装置が更新する第２のステップと、上記第２のステップの後に上記第２の無線基地局に対する上記移動端末の位置登録を上記通信制御装置が行った場合、上記通信制御装置がカウント値を保持する第３のステップと、上記第３のステップの後に上記第１の無線基地局に対する位置登録の要求が上記移動端末から上記通信制御装置に再度行われると、カウント値が閾値に達してるか否かを上記通信制御装置が判定する第４のステップと、上記第４のステップにおいてカウント値が閾値に達していると上記通信制御装置が判定すると、上記通信制御装置は、カウント値をクリアすると共に上記移動端末の上記第１の無線基地局に対する位置登録を許可する第５のステップとを備える、ことを特徴とする位置登録方法。
【００１０】
以上のように、移動端末が第１の無線基地局に対する在圏許可登録されていない端末の場合、位置登録の拒否回数を示すカウント値が閾値に達していれば、第１の無線基地局に対する移動端末の位置登録が許可される。また、第２の無線基地局に対する移動端末の位置登録が行われた場合であっても移動端末に対応するカウント値はクリアされず保持されるので、第２の無線基地局に対する位置登録と第１の無線基地局に対する位置登録の拒否とが繰り返される場合であっても、カウント値が閾値に達していれば、第１の無線基地局に対する位置登録が行われるので、位置登録時におけるバタつきを低減できる。従って、移動端末のバッテリや、第１の無線基地局、第２の無線基地局及び当該通信制御装置の通信処理に対し過度な負荷をかけずに位置登録が行える。
【発明の効果】
【００１１】
本発明によれば、特定ユーザに属さない移動端末であっても、特定ユーザ向けの基地局の通信エリア及び周波数帯域と一般公衆向けの基地局の通信エリア及び周波数帯域とがそれぞれ重なっている場合に、移動端末のバッテリや基地局の通信処理に対する負荷を過度に増大させることなく位置登録が行える。
【図面の簡単な説明】
【００１２】
【図１】図１は、実施形態に係る通信制御システムの構成を示す図である。
【図２】図２は、実施形態に係るコアネットワーク装置の物理的構成を示す図である。
【図３】図３は、実施形態に係るコアネットワーク装置の機能的構成を示す図である。
【図４】図４は、実施形態に係るコアネットワーク装置の処理を説明するためのフローチャートである。
【発明を実施するための形態】
【００１３】
以下、図面を参照して、本発明に係る好適な実施形態について詳細に説明する。なお、図面の説明において、可能な場合には、同一要素には同一符号を付し、重複する説明を省略する。図１は、通信制御システム１の構成を示す図である。通信制御システム１は、ｆｅｍｔｏＢＴＳ３（ＢＴＳ：Base Transceiver Station）、ｍａｃｒｏＢＴＳ５（ＢＴＳ：Base Transceiver Station）、ＲＮＣ７（ＲＮＣ：Radio Network Controller）、コアネットワーク装置９及び移動端末１１を備える。
【００１４】
ｆｅｍｔｏＢＴＳ３は、半径十数メートルの宅内程度の通信エリア（ｆｅｍｔｏＣｅｌｌ３ａ）を受け持つ無線基地局である。ｆｅｍｔｏＢＴＳ３は、特定ユーザ向けの無線基地局である。ｆｅｍｔｏＢＴＳ３に対して位置登録が行える移動端末は、コアネットワーク装置９においてｆｅｍｔｏＢＴＳ３に対する在圏許可登録が予めされているものに限る。なお、移動端末１１は、ｆｅｍｔｏＢＴＳ３に対する在圏許可登録が予めされている端末であることもできるし、ｆｅｍｔｏＢＴＳ３に対する在圏許可登録が予めされていない端末であることもできる。ｆｅｍｔｏＢＴＳ３に対する在圏許可登録はコアネットワーク装置９によって行われる。ｆｅｍｔｏＢＴＳ３に対する在圏許可登録は、移動端末１１の電話番号等の識別情報とｆｅｍｔｏＢＴＳ３の識別情報とを用いてコアネットワーク装置９によって行われる。ｆｅｍｔｏＢＴＳ３によって使用される周波数帯域は、例えば、２０００ＭＨｚ帯域である。
【００１５】
ｍａｃｒｏＢＴＳ５は、ｆｅｍｔｏＢＴＳ３よりも広い通信エリア（ｍａｃｒｏＣｅｌｌ５ａ）を受け持つ無線基地局である。ｍａｃｒｏＣｅｌｌ５ａは、ｆｅｍｔｏＣｅｌｌ３ａを含んでいるとする。ｍａｃｒｏＢＴＳ５は、一般公衆向けの無線基地局である。ｍａｃｒｏＢＴＳ５に対する位置登録に在圏許可登録は必要とされない。ｍａｃｒｏＢＴＳ５は、例えば、三つの周波数帯域を使用する。ｍａｃｒｏＢＴＳ５によって使用される周波数帯域は、例えば、２０００ＭＨｚ帯域、１７００ＭＨｚ帯域、及び、８００ＭＨｚ帯域である。
【００１６】
ＲＮＣ７は、ｆｅｍｔｏＢＴＳ３、ｍａｃｒｏＢＴＳ５及びコアネットワーク装置９と通信接続されている。ＲＮＣ７は、無線リソースの制御装置であり、コアネットワーク装置９と、ｆｅｍｔｏＢＴＳ３及びｍａｃｒｏＢＴＳ５との間の通信を仲介する。図１に示す通信制御システム１は、ｆｅｍｔｏＢＴＳ３及びｍａｃｒｏＢＴＳ５が同一のＲＮＣ７に接続されている構成を有するが、この構成に限らず、ｆｅｍｔｏＢＴＳ３及びｍａｃｒｏＢＴＳ５のそれぞれが別々のＲＮＣ７に接続される構成を有することができる。
【００１７】
コアネットワーク装置９は、移動端末１１の通信制御を行う通信制御装置であり、特に、移動端末１１の位置登録を制御する。コアネットワーク装置９によって制御される位置登録は、ｆｅｍｔｏＢＴＳ３に対する位置登録及びｍａｃｒｏＢＴＳ５に対する位置登録を含む。
【００１８】
コアネットワーク装置９は、ｍａｃｒｏＢＴＳ５に対する位置登録がされている移動端末１１に対し、ｍａｃｒｏＢＴＳ５の複数の周波数帯域のうちこの移動端末１１が現在利用している周波数帯域よりも現在利用中の移動端末数の少ない他の周波数帯域への変更（帯域振分け）を指示する。コアネットワーク装置９は、この周波数帯域の変更後（帯域振分け後）に変更先の周波数帯域において位置登録が拒否された移動端末１１に対して、変更先の周波数帯域とは異なる他の周波数帯域（例えば、変更前の元の周波数帯域）で位置登録をするように指示する（周波数追出し）。
【００１９】
コアネットワーク装置９は、ｆｅｍｔｏＢＴＳ３に対する在圏許可登録を示す情報（ｆｅｍｔｏＢＴＳ３の識別情報とｆｅｍｔｏＢＴＳ３に対し位置登録が予め許可されている移動端末１１の識別情報とが関連付けられた情報）に基づいてｆｅｍｔｏＢＴＳ３に対する移動端末１１の位置登録を行うか否かを判定する。具体的には、コアネットワーク装置９は、ｆｅｍｔｏＢＴＳ３に対する位置登録が許可された（すなわち、在圏許可登録がされた）移動端末１１の識別情報をコアネットワーク装置９の内蔵メモリにｆｅｍｔｏＢＴＳ３の識別情報と共に格納し、この格納した移動端末１１及びｆｅｍｔｏＢＴＳ３のそれぞれの識別情報を参照することによって、ｆｅｍｔｏＢＴＳ３に対する移動端末１１の在圏許可、すなわち、ｆｅｍｔｏＢＴＳ３に対する移動端末１１の位置登録を行うか否かを、判定する。
【００２０】
コアネットワーク装置９は、在圏許可登録されている移動端末１１からｆｅｍｔｏＢＴＳ３に対する位置登録の要求を受けると、この位置登録を許可する。コアネットワーク装置９は、在圏許可登録されていない移動端末１１からｆｅｍｔｏＢＴＳ３に対する位置登録の要求を受けると、この位置登録を拒否し、移動端末１１の位置登録が拒否された回数のカウント値（拒否回数の累計）を一つインクリメントする。コアネットワーク装置９は、カウント値が予め設定された閾値に達すると、このカウント値に対応する移動端末１１、すなわち、このカウント値の回数だけｆｅｍｔｏＢＴＳ３に対する位置登録を拒否した移動端末１１の位置登録を行い、閾値に達したこのカウント値をクリアする（ゼロにする）。コアネットワーク装置９は、ｍａｃｒｏＢＴＳ５に対する位置登録が許可された場合には、ｆｅｍｔｏＢＴＳ３に対する位置登録が拒否された後であっても、カウント値をクリアせず保持し続ける。コアネットワーク装置９は、在圏許可登録されている移動端末１１からｆｅｍｔｏＢＴＳ３に対する位置登録の要求を受けると、この移動端末１１に対応するカウント値をクリアする。
【００２１】
移動端末１１は、ｆｅｍｔｏＢＴＳ３及びｍａｃｒｏＢＴＳ５と通信が可能な携帯電話等の端末である。移動端末１１がｆｅｍｔｏＢＴＳ３に対する位置登録を行う場合、移動端末１１は、移動端末１１の識別情報をｆｅｍｔｏＢＴＳ３に送信し、ｆｅｍｔｏＢＴＳ３は、受信した移動端末１１の識別情報とｆｅｍｔｏＢＴＳ３の識別情報とをＲＮＣ７を介してコアネットワーク装置９に送信する。コアネットワーク装置９は、ＲＮＣ７を介して受信した移動端末１１の識別情報とｆｅｍｔｏＢＴＳ３の識別情報とに基づいて、移動端末１１の位置登録を制御する（位置登録するか否かを判定する、位置登録を行う、位置登録を拒否する等を行う）。移動端末１１がｍａｃｒｏＢＴＳ５に対する位置登録を行う場合、移動端末１１は、移動端末１１の識別情報をｍａｃｒｏＢＴＳ５に送信し、ｍａｃｒｏＢＴＳ５は、受信した移動端末１１の識別情報とｍａｃｒｏＢＴＳ５の識別情報とをＲＮＣ７を介してコアネットワーク装置９に送信する。コアネットワーク装置９は、ＲＮＣ７を介して受信した移動端末１１の識別情報とｍａｃｒｏＢＴＳ５の識別情報とに基づいて、移動端末１１の位置登録を行う。
【００２２】
図２は、コアネットワーク装置９の物理的構成を示す図である。コアネットワーク装置９は、物理的には、ＣＰＵ９１、ＲＯＭ９２、ＲＡＭ９３、記録装置９４、通信装置９５及びバス９６を有しており、ＣＰＵ９１は、ＲＯＭ９２等のコアネットワーク装置９の内蔵メモリに格納された所定のコンピュータプログラム（例えば、図４のフローチャートに示す処理を行うためのコンピュータプログラム）をＲＡＭ９３にロードして実行することによってコアネットワーク装置９を統括的に制御する。
【００２３】
記録装置９４は、書き込み／読み出しが行えるメモリであり、ｆｅｍｔｏＢＴＳ３及びｍａｃｒｏＢＴＳ５の識別番号等を示すデータを格納する。記録装置９４は、在圏許可登録を示す情報、すなわち、ｆｅｍｔｏＢＴＳ３に対する位置登録が行える移動端末１１の識別番号（例えば、電話番号等）とｆｅｍｔｏＢＴＳ３の識別番号とが関連付けられたデータを格納する。記録装置９４は、ｆｅｍｔｏＢＴＳ３に対する移動端末１１の位置登録が拒否された回数を示すカウント値を、移動端末１１の識別番号ごとに格納する。
【００２４】
通信装置９５は、ＲＮＣ７と通信を行うためのインターフェースを有し、ＲＮＣ７を介してｆｅｍｔｏＢＴＳ３及びｍａｃｒｏＢＴＳ５と通信が行える。通信装置９５は、ｆｅｍｔｏＢＴＳ３、ｍａｃｒｏＢＴＳ５及びＲＮＣ７を介して、移動端末１１と通信が行える。なお、ｆｅｍｔｏＢＴＳ３及びｍａｃｒｏＢＴＳ５のそれぞれが別々のＲＮＣ７に接続される構成の場合には、通信装置９５は、ｆｅｍｔｏＢＴＳ３に接続されているＲＮＣ７と通信を行うためのインターフェースを有し、このＲＮＣ７を介してｆｅｍｔｏＢＴＳ３と通信が行えるとともに、通信装置９５は、ｍａｃｒｏＢＴＳ５に接続されているＲＮＣ７と通信を行うためのインターフェースを有し、このＲＮＣ７を介してｍａｃｒｏＢＴＳ５と通信が行える。通信装置９５は、ｆｅｍｔｏＢＴＳ３とｆｅｍｔｏＢＴＳ３に接続されているＲＮＣとを介して移動端末１１と通信が行えるとともに、通信装置９５は、ｍａｃｒｏＢＴＳ５とｍａｃｒｏＢＴＳ５に接続されているＲＮＣ７とを介して移動端末１１と通信が行える。
【００２５】
図３は、コアネットワーク装置９の機能的構成を示す図である。コアネットワーク装置９は、機能的には、位置登録部９１ａ、基地局判定部９１ｂ、カウント部９１ｃ、登録判定部９１ｄ及び拒否回数判定部９１ｅを有する。位置登録部９１ａ、基地局判定部９１ｂ、カウント部９１ｃ、登録判定部９１ｄ及び拒否回数判定部９１ｅは、ＣＰＵ９１がコアネットワーク装置９の内蔵メモリ（ＲＯＭ９２や記録装置９４等）に格納されたコンピュータプログラムを実行することによって実現される機能である。ＣＰＵ９１は、このコンピュータプログラムを実行することによって（カウント部９１ｃ、登録判定部９１ｄ、基地局判定部９１ｂ及び拒否回数判定部９１ｅを用いて）、図４のフローチャートに示す処理を順次実行する。このコンピュータプログラムの実行に必要な各種データ、及び、このコンピュータプログラムの実行によって生成された各種データは、全て、コアネットワーク装置９のＲＯＭ９２、ＲＡＭ９３及び記録装置９４に格納されることができる。
【００２６】
位置登録部９１ａは、ｆｅｍｔｏＢＴＳ３に対する移動端末１１の位置登録の要求、及び、ｍａｃｒｏＢＴＳ５に対する移動端末１１の位置登録の要求、に応じて、位置登録処理（位置登録を許可して位置登録を行う、又は、位置登録を拒否する）を行う。位置登録部９１ａは、ｆｅｍｔｏＢＴＳ３に対する在圏許可登録がされている移動端末１１からｆｅｍｔｏＢＴＳ３に対する位置登録の要求を受けると、この位置登録を許可する。位置登録部９１ａは、ｆｅｍｔｏＢＴＳ３に対する在圏許可登録がされていない移動端末１１からの位置登録の要求があると、この移動端末１１に対応するカウント値がある閾値Ｓｒ１未満の場合にはｆｅｍｔｏＢＴＳ３に対する移動端末１１の位置登録を拒否し、この移動端末１１に対応するカウント値が閾値Ｓｒ１以上閾値Ｓｒ２未満（Ｓｒ１＜Ｓｒ２とする）の場合にはｆｅｍｔｏＢＴＳ３に対する移動端末１１の位置登録を拒否すると共にｆｅｍｔｏＢＴＳ３の電波強度を予め設定された強度まで下げるようｆｅｍｔｏＢＴＳ３に指示し、この移動端末１１に対応するカウント値が閾値Ｓｒ２に達している場合にはｆｅｍｔｏＢＴＳ３に対する位置登録を許可し、この位置登録を行う。
【００２７】
基地局判定部９１ｂは、位置登録の要求を受けると、この位置登録は、ｆｅｍｔｏＢＴＳ３に対する位置登録であるか、又は、ｍａｃｒｏＢＴＳ５に対する位置登録であるか、を判定する。
【００２８】
カウント部９１ｃは、ｆｅｍｔｏＢＴＳ３に対する移動端末１１の位置登録が位置登録部９１ａによって拒否された拒否回数（カウント値）を計数し、このカウント値を移動端末１１の識別情報ごとに記録装置９４に格納する。カウント部９１ｃは、ｆｅｍｔｏＢＴＳ３に対する在圏許可登録がされていない移動端末１１からの位置登録の要求があり、この位置登録が位置登録部９１ａによって拒否される場合、この移動端末１１に対応するカウント値を一つインクリメントする。カウント部９１ｃは、カウント値が閾値Ｓｒ１に達すると、このカウント値をクリアする（ゼロにする）。カウント部９１ｃは、ｍａｃｒｏＢＴＳ５に対する位置登録が許可される場合には、ｆｅｍｔｏＢＴＳ３に対する位置登録が拒否された後であっても、カウント値をクリアせずに保持し続ける。カウント部９１ｃは、ｆｅｍｔｏＢＴＳ３に対する在圏許可登録がされている移動端末１１からｆｅｍｔｏＢＴＳ３に対する位置登録の要求を受けると、この移動端末１１に対応するカウント値をクリアする。
【００２９】
登録判定部９１ｄは、ｆｅｍｔｏＢＴＳ３に対する位置登録の要求があると、この要求を行った移動端末１１が、ｆｅｍｔｏＢＴＳ３に対する在圏許可登録がされている端末であるか否かを判定する。
【００３０】
拒否回数判定部９１ｅは、ｆｅｍｔｏＢＴＳ３に対する在圏許可登録がされていない移動端末１１から位置登録の要求があると、この移動端末１１に対応するカウント値が、ｆｅｍｔｏＢＴＳ３の電波強度を所定値に下げるか否か、及び、位置登録を行うか否か、を判断するための閾値（閾値Ｓｒ１及び閾値Ｓｒ２）に達したか否かを判定する。
【００３１】
周波数帯域変更部９１ｆは、ｍａｃｒｏＢＴＳ５に対する位置登録がされている移動端末１１に対し、ｍａｃｒｏＢＴＳ５の複数の周波数帯域のうちこの移動端末１１が現在利用している周波数帯域よりも現在利用中の端末数の少ない他の周波数帯域への変更（帯域振分け）を指示する。周波数帯域変更部９１ｆは、この周波数帯域の変更（帯域振分け）により、変更先の周波数帯域において位置登録が拒否された場合、この位置登録が拒否された移動端末１１に対して、変更先の周波数帯域とは異なる他の周波数帯域（例えば、変更前の元の周波数帯域）で位置登録をするように指示する（周波数追出し）。
【００３２】
次に、図４を参照して、コアネットワーク装置９の動作を説明する。位置登録部９１ａは、移動端末１１から位置登録の要求を受けると（ステップＳ１）、基地局判定部９１ｂは、この位置登録が、ｆｅｍｔｏＢＴＳ３に対する位置登録であるか、又は、ｍａｃｒｏＢＴＳ５に対する位置登録であるか、を判定する（ステップＳ２）。
【００３３】
ステップＳ２において、基地局判定部９１ｂは、ｆｅｍｔｏＢＴＳ３に対する位置登録であると判定すると（ステップＳ２；ｆｅｍｔｏＢＴＳ）、位置登録部９１ａは、ｆｅｍｔｏＢＴＳ３に対する位置登録を開始する（ステップＳ３）。
【００３４】
ステップＳ３の後、登録判定部９１ｄは、移動端末１１がｆｅｍｔｏＢＴＳ３に対する在圏許可登録されている端末であるか否か（移動端末１１が在圏許可登録済みであるか否か）を判定し（ステップＳ４）、移動端末１１が在圏許可登録されている端末であると登録判定部９１ｄによって判定されると（ステップＳ４；登録されている）、カウント部９１ｃは、移動端末１１に対応するカウント値をクリアし（ステップＳ５）、この後、位置登録部９１ａは、ｆｅｍｔｏＢＴＳ３に対する移動端末１１の位置登録を行う（ステップＳ６）。
【００３５】
ステップＳ４において、移動端末１１がｆｅｍｔｏＢＴＳ３に対する在圏許可登録されている端末でないと登録判定部９１ｄによって判定されると（ステップＳ４；登録されていない）、拒否回数判定部９１ｅは、移動端末１１に対応するカウント値と閾値Ｓｒ１及び閾値Ｓｒ２との大小関係を判定する（ステップＳ７）。
【００３６】
ステップＳ７において、移動端末１１に対応するカウント値が閾値Ｓｒ１未満の場合（ステップＳ７；０≦カウント値＜閾値Ｓｒ１）、カウント部９１ｃは、移動端末１１に対応するカウント値を一つインクリメントし（ステップＳ８）、この後、位置登録部９１ａは、ｆｅｍｔｏＢＴＳ３に対する移動端末１１の位置登録を拒否する（ステップＳ９）。
【００３７】
ステップＳ７において、移動端末１１に対応するカウント値が閾値Ｓｒ１以上閾値Ｓｒ２未満の場合（ステップＳ７；閾値Ｓｒ１≦カウント値＜閾値Ｓｒ２）、カウント部９１ｃは、移動端末１１に対応するカウント値を一つインクリメントし（ステップＳ１０）、この後、位置登録部９１ａは、ｆｅｍｔｏＢＴＳ３に対する移動端末１１の位置登録を拒否すると共に、ｆｅｍｔｏＢＴＳ３の電波強度を予め設定された強度（ｆｅｍｔｏＣｅｌｌ３ａ内にある移動端末１１の現在位置におけるｍａｃｒｏＢＴＳ５の電波強度を下回るような強度）まで下げるようｆｅｍｔｏＢＴＳ３に指示する信号を、ｆｅｍｔｏＢＴＳ３に送信する（ステップＳ１１）。移動端末１１は、ｆｅｍｔｏＢＴＳ３及びｍａｃｒｏＢＴＳ５のうち、電波強度の強い基地局に対して位置登録を行うので、ｆｅｍｔｏＢＴＳ３の電波強度が、ｆｅｍｔｏＣｅｌｌ３ａ内にある移動端末１１の現在位置におけるｍａｃｒｏＢＴＳ５の電波強度を下回るような強度にまで下げられることによって、移動端末１１は、ｍａｃｒｏＢＴＳ５に対する位置登録を行い易くなる。
【００３８】
ステップＳ７において、移動端末１１に対応するカウント値が閾値Ｓｒ２以上の場合（ステップＳ７；閾値Ｓｒ２≦カウント値）、カウント部９１ｃは、移動端末１１に対応するカウント値をクリアし（ステップＳ１２）、この後、位置登録部９１ａは、ｆｅｍｔｏＢＴＳ３に対する移動端末１１の位置登録を許可し、この位置登録を行う（ステップＳ１３）。
【００３９】
ステップＳ２において、基地局判定部９１ｂは、ステップＳ１において要求された位置登録がｍａｃｒｏＢＴＳ５に対する位置登録であると判定すると（ステップＳ２；ｍａｃｒｏＢＴＳ）、位置登録部９１ａは、ｍａｃｒｏＢＴＳ５に対する位置登録を開始するが（ステップＳ１４）、カウント部９１ｃは、移動端末１１に対応するカウント値の保持を継続する（ステップＳ１５）。そして、ステップＳ１４及びステップＳ１５の後、位置登録部９１ａは、ｍａｃｒｏＢＴＳ５に対する移動端末１１の位置登録を行う（ステップＳ１６）。
【００４０】
なお、特に、ステップＳ９又はステップＳ１１の後、ステップＳ１６においてｍａｃｒｏＢＴＳ５に対する移動端末１１の位置登録が、例えば周波数帯域変更部９１ｆによる周波数追出し等によって、行われた場合、移動端末１１に対応するカウント値がステップＳ１５において保持され、この後、ステップＳ１においてｆｅｍｔｏＢＴＳ３に対する位置登録の要求が、例えば周波数帯域変更部９１ｆによる帯域振分け等によって、移動端末１１から再度行われると、ステップＳ２、ステップＳ３及びステップＳ４の処理を順次経て、移動端末１１に対応するカウント値が閾値Ｓｒ２に達してるか否かがステップＳ７において判定され、移動端末１１に対応するカウント値が閾値に達していると判定されると（ステップＳ７；閾値Ｓｒ２≦カウント値）、移動端末１１に対応するカウント値がクリアされ（ステップＳ１２）、ｆｅｍｔｏＢＴＳ３に対する移動端末１１の位置登録が許可される（ステップＳ１３）。
【００４１】
以上のように、移動端末１１がｆｅｍｔｏＢＴＳ３に対する在圏許可登録されていない端末の場合、位置登録の拒否回数を示すカウント値が閾値Ｓｒ２に達していれば、ｆｅｍｔｏＢＴＳ３に対する移動端末１１の位置登録が許可される。移動端末１１がｍａｃｒｏＢＴＳ５によって一旦位置登録が許可された後に、例えば、帯域振分けされて、ｆｅｍｔｏＢＴＳ３に対する位置登録を要求した場合であっても、移動端末１１の前回までのカウント値が保持されているので、帯域振分け及び周波数追出しが何度か繰り返されカウント値のインクリメントが続いても、カウント値が閾値Ｓｒ２に達していれば、この後、帯域振分け及び周波数追出しは行われず、最終的には、ｆｅｍｔｏＢＴＳ３に対する位置登録が許可される。従って、移動端末１１のバッテリや基地局の通信処理に対する負荷を過度に増大させることなく位置登録が行える。
【００４２】
次に、実施形態に係るコアネットワーク装置９の作用効果を説明する。コアネットワーク装置９は、通信エリア及び周波数帯域が共に重なっているｆｅｍｔｏＢＴＳ３及びｍａｃｒｏＢＴＳ５に対して行われる移動端末１１の位置登録を制御する通信制御装置である。コアネットワーク装置９は、記録装置９４と、位置登録部９１ａと、カウント部９１ｃとを備える。記録装置９４は、ｆｅｍｔｏＢＴＳ３に対して位置登録を行うことが可能な移動端末の識別番号（ｆｅｍｔｏＢＴＳ３に対する在圏許可登録に含まれる情報）を記録する。位置登録部９１ａは、ｆｅｍｔｏＢＴＳ３及びｍａｃｒｏＢＴＳ５に対する移動端末１１の位置登録を行うが、記録装置９４に識別番号が記録されていない（すなわちｆｅｍｔｏＢＴＳ３に対する在圏許可登録がされていない）移動端末１１からのｆｅｍｔｏＢＴＳ３に対する位置登録を拒否する。カウント部９１ｃは、位置登録部９１ａによって位置登録が拒否された拒否回数を移動端末ごとにカウントし、このカウント値を記録装置９４に格納する。ｆｅｍｔｏＢＴＳ３の通信エリア（ｆｅｍｔｏＣｅｌｌ３ａ）は、ｍａｃｒｏＢＴＳ５の通信エリア（ｍａｃｒｏＣｅｌｌ５ａ）よりも狭い。位置登録部９１ａは、移動端末１１に対応するカウント値が閾値Ｓｒ２に達っしていると、当該カウント値に対応する移動端末１１のｆｅｍｔｏＢＴＳ３に対する位置登録を行う。カウント部９１ｃは、ｆｅｍｔｏＢＴＳ３に対する移動端末１１の位置登録が位置登録部９１ａによって行われた場合に、記録装置９４に格納された移動端末１１に対応するカウント値をクリアし、ｍａｃｒｏＢＴＳ５に対する移動端末１１の位置登録が位置登録部９１ａによって行われた場合には、記録装置９４に格納された移動端末１１に対応するカウント値をクリアしない。
【００４３】
以上のように、移動端末１１がｆｅｍｔｏＢＴＳ３に対する在圏許可登録されていない端末の場合、位置登録の拒否回数を示すカウント値が閾値Ｓｒ２に達していれば、ｆｅｍｔｏＢＴＳ３に対する移動端末１１の位置登録が許可される。また、ｍａｃｒｏＢＴＳ５に対する移動端末１１の位置登録が行われた場合であっても移動端末１１に対応するカウント値はクリアされず保持されるので、ｍａｃｒｏＢＴＳ５に対する位置登録とｆｅｍｔｏＢＴＳ３に対する位置登録の拒否とが繰り返される場合であっても、カウント値が閾値Ｓｒ２に達していれば、ｆｅｍｔｏＢＴＳ３に対する位置登録が行われるので、位置登録時におけるバタつきを低減できる。従って、移動端末１１のバッテリや、ｆｅｍｔｏＢＴＳ３、ｍａｃｒｏＢＴＳ５、ＲＮＣ７及びコアネットワーク装置９の通信処理に対し過度な負荷をかけずに位置登録が行える。
【００４４】
更に、コアネットワーク装置９は、周波数帯域変更部９１ｆを有する。周波数帯域変更部９１ｆは、ｍａｃｒｏＢＴＳ５に対する位置登録がされている移動端末１１に対し、ｍａｃｒｏＢＴＳ５の複数の周波数帯域のうち移動端末１１が現在利用している周波数帯域と異なる他の周波数帯域への変更を指示し、変更先の周波数帯域における位置登録が位置登録部９１ａによって拒否されると、この位置登録が拒否された移動端末１１に対して、変更先の周波数帯域とは異なる他の周波数帯域（例えば、変更前の周波数帯域）で位置登録をするように指示する。従って、周波数追出しによってｍａｃｒｏＢＴＳ５に対する移動端末１１の位置登録が一旦許可された後に、帯域振分けされて、ｆｅｍｔｏＢＴＳ３に対する位置登録を要求した場合であっても、移動端末１１の前回までのカウント値が保持されているので、帯域振分け及び周波数追出しが何度か繰り返されカウント値のインクリメントが続いても、カウント値が閾値Ｓｒ２に達していれば、この後、帯域振分け及び周波数追出しは行われず、最終的には、ｆｅｍｔｏＢＴＳ３に対する位置登録が許可され、位置登録時のバタつきは解消される。よって、移動端末１１のバッテリや、ｆｅｍｔｏＢＴＳ３、ｍａｃｒｏＢＴＳ５、ＲＮＣ７及びコアネットワーク装置９の通信処理に対し過度な負荷をかけずに位置登録が行える。
【符号の説明】
【００４５】
１…通信制御システム、１１…移動端末、３…ｆｅｍｔｏＢＴＳ、３ａ…ｆｅｍｔｏＣｅｌｌ、５…ｍａｃｒｏＢＴＳ、５ａ…ｍａｃｒｏＣｅｌｌ、７…ＲＮＣ、９…コアネットワーク装置、９１…ＣＰＵ、９１ａ…位置登録部、９１ｂ…基地局判定部、９１ｃ…カウント部、９１ｄ…登録判定部、９１ｅ…拒否回数判定部、９１ｆ…周波数帯域変更部、９２…ＲＯＭ、９３…ＲＡＭ、９４…記録装置、９５…通信装置、９６…バス。
【図１】
2011199505.tif 000003
【図２】
2011199505.tif 000004
【図３】
2011199505.tif 000005
【図４】
2011199505.tif 000006